(57)【要約】【課題】  内容物が重くても蓋体で箱本体を閉じた状態で、蓋体を持って容易に搬送でき、さらには組み立てが容易な梱包箱を得る。【解決手段】  箱本体１は、一対の第１側壁部５と、一対の第２側壁部７と、隣り合う第１側壁部５と第２側壁部７の間に設けられ、外方に二つ折りされ第１側壁部５の外面側に折り込まれ固定される折込部１０とからなり、蓋体２は、４つの側壁部のうち、箱本体１の第１側壁部５の外面に対向する一対の第３側壁部１４に、その下端縁から下方に延長された延長部１４ａが設けられ、延長部１４ａの先端部が内側に折り返される折返し片１８となっており、蓋体２で箱本体１を閉じたときに、折返し片１８が一対の折込部１０の側辺１０ａによって形成される三角形状の凹部１１に入り、蓋体２を持ち上げたとき、折返し片１８が折込部１０の側辺１０ａに掛止するようにした。【選択図】図１
2020164187.tif 000002
【特許請求の範囲】
【請求項１】
一枚のシートで構成される箱本体と蓋体とからなる梱包箱であって、前記箱本体は、矩形状の底部の相対向する二辺にそれぞれ第１折線を介して設けられた一対の第１側壁部と、前記底部の他の相対向する二辺にそれぞれ第２折線を介して設けられた一対の第２側壁部と、隣り合う前記一対の第１側壁部と前記一対の第２側壁部の間に設けられており、両側端縁にそれぞれ第３折線、第４折線を介して連接し、外方に二つ折りされ前記一対の第１側壁部の外面側に折り込まれ固定される折込部とからなり、前記蓋体は、４つの側壁部のうち、前記箱本体の前記一対の第１側壁部の外面に対向する一対の第３側壁部に、その下端縁から下方に延長された延長部が設けられ、前記延長部の先端部が内側に折り返される折返し片となっており、前記蓋体で前記箱本体を閉じたときに、前記折返し片が、前記一対の第１側壁部の外面側に折り込まれ固定された一対の折込部の対向する側辺によって前記一対の第１側壁部の外面側に形成される三角形状の凹部に入り、前記一対の第１側壁部の外面に前記折返し片の復元力により圧接し、前記蓋体を持ち上げたとき、前記折返し片が前記一対の折込部の対向する側辺に掛止するように構成されていることを特徴とする梱包箱。
【請求項２】
前記蓋体の前記一対の第３側壁部に設けられた延長部は、前記箱本体の前記一対の第１側壁部の外面側に折り込まれ固定された一対の折込部の対向する側辺によって前記一対の第１側壁部の外面側に形成される三角形状と概ね同じ形状且つ同じ大きさの逆三角形状に形成されていることを特徴とする請求項１に記載の梱包箱。
【請求項３】
前記箱本体の第１側壁部の外面側に設けられる折り込み部の固定は、接着によるものであることを特徴とする請求項１または２に記載の梱包箱。
【請求項４】
前記シートは、紙製であることを特徴とする請求項１〜３のいずれか１項に記載の梱包箱。
【請求項５】
前記シートは、前記シートは、段ボールシートであることを特徴とする請求項１〜４のいずれか１項に記載の梱包箱。
【発明の詳細な説明】
【技術分野】
【０００１】
本発明は、箱本体と蓋体とがそれぞれ一枚のシートで構成される梱包箱に関するものである。
【背景技術】
【０００２】
箱本体と蓋体とで構成される梱包箱にあって、箱本体を蓋体で閉じたとき、蓋体と箱本体が結合し、箱本体から蓋体を外す時、簡単な操作で外すことができる梱包箱がある。
【０００３】
このような梱包箱として、下箱部には対向する一対の側壁に掛止孔を設け、上蓋部には対向する一対の側壁の内側に弾性突片部を設け、該上蓋部を前記下箱部に外嵌することで前記弾性突片部が前記掛止孔内に進出して掛け止めされるようにすると共に、前記上蓋部の下端を握持することで前記弾性突片部が前記掛止孔から退避されるように構成した梱包箱が知られている（例えば特許文献１参照。）。
【先行技術文献】
【特許文献】
【０００４】
【特許文献１】特開２００８−２３０６７０号公報
【発明の概要】
【発明が解決しようとする課題】
【０００５】
特許文献１に記載されている梱包箱によれば、下箱部には対向する一対の側壁に掛止孔を設け、上蓋部には対向する一対の側壁の内側に弾性突片部を設け、該上蓋部を前記下箱部に外嵌することで前記弾性突片部が前記掛止孔内に進出して掛け止めされるので、上蓋部の側壁の下端に手を掛けて持ち上げたとき、上蓋部に設けた弾性突片部が下箱部に設けた掛止孔に掛止することにより、下箱部も一体となって持ち上げられるので、上蓋部の側壁の下端に手を掛けて梱包箱を搬送することができる。
【０００６】
しかし、弾性突片部と掛止孔とは端面同士が掛止するので支持力が弱く、下箱部に収容されている内容物が重いと、相互に掛止している弾性突片部と掛止孔の端面が変形して弾性突片部と掛止孔とが外れてしまい、下箱部が落下してしまう場合があるといった問題がある。
【０００７】
また、下箱部に設けた掛止孔と、上蓋部に設けた弾性突片部の形状や位置によっては、上蓋部を持ち上げたときの力が下箱部の中央に掛かるとは限らず、上蓋部を持ち上げたとき下箱部が傾き、弾性突片部と掛止孔とが外れてしまう場合があるといった問題がある。
【０００８】
本発明の目的は、内容物が重くても蓋体で箱本体を閉じた状態で、蓋体を持って容易に搬送でき、さらには組み立てが容易な梱包箱を提供することにある。
【課題を解決するための手段】
【０００９】
上記の目的を達成するために、請求項１に記載の発明は、一枚のシートで構成される箱本体と蓋体とからなる梱包箱であって、前記箱本体は、矩形状の底部の相対向する二辺にそれぞれ第１折線を介して設けられた一対の第１側壁部と、前記底部の他の相対向する二辺にそれぞれ第２折線を介して設けられた一対の第２側壁部と、隣り合う前記一対の第１側壁部と前記一対の第２側壁部の間に設けられており、両側端縁にそれぞれ第３折線、第４折線を介して連接し、外方に二つ折りされ前記一対の第１側壁部の外面側に折り込まれ固定される折込部とからなり、前記蓋体は、４つの側壁部のうち、前記箱本体の前記一対の第１側壁部の外面に対向する一対の第３側壁部に、その下端縁から下方に延長された延長部が設けられ、前記延長部の先端部が内側に折り返される折返し片となっており、前記蓋体で前記箱本体を閉じたときに、前記折返し片が、前記一対の第１側壁部の外面側に折り込まれ固定された一対の折込部の対向する側辺によって前記一対の第１側壁部の外面側に形成される三角形状の凹部に入り、前記一対の第１側壁部の外面に前記折返し片の復元力により圧接し、前記蓋体を持ち上げたとき、前記折返し片が前記一対の折込部の対向する側辺に掛止するように構成されていることを特徴とする。
【００１０】
請求項１に記載の発明によれば、前記蓋体で前記箱本体を閉じたときに、前記折返し片が、前記一対の第１側壁部の外面側に折り込まれ固定された一対の折込部の対向する側辺によって前記一対の第１側壁部の外面側に形成される三角形状の凹部に入り、前記一対の第１側壁部の外面に前記折返し片の復元力により圧接し、前記蓋体を持ち上げたとき、前記折返し片が前記一対の折込部の対向する側辺に掛止するように構成されているので、前記蓋体を持ち上げることにより前記箱本体を一体として持ち上げることができ、前記蓋体に手を掛けて梱包箱を容易に搬送することができる。
そして、前記折返し片が掛止する前記一対の折込部の対向する側辺は、二つ折りした折り端部なので押圧に対する強度が高く、前記折込部の対向する側辺に掛止する前記折返し片は復元力により第１側壁部の外面に圧接しているので、前記蓋体を持ち上げたとき、前記折込部の対向する側辺に対し、前記折返し片の端部が前記折込部の側辺と第１側壁部の外面との間に向かうよう働くことになり、前記折込部の側辺から前記折返し片の端部が外れるといったことが効果的に阻止され、強い支持力が得られる。
また、前記蓋体で前記箱本体を閉じたときに、前記折返し片が、前記一対の第１側壁部の外面側に折り込まれ固定された一対の折込部の対向する側辺によって前記一対の第１側壁部の外面側に形成される三角形状の凹部に入るので、前記蓋体を持ち上げたとき、前記折返し片は第１側壁部の外面側に形成される三角形状の凹部により前記箱本体の中央位置に誘導されることになり、前記箱本体を安定した状態で持ち上げることができる。
【００１１】
請求項２に記載の発明は、請求項１に記載の、前記蓋体の前記一対の第３側壁部に設けられた延長部は、前記箱本体の前記一対の第１側壁部の外面側に折り込まれ固定された一対の折込部の対向する側辺によって前記一対の第１側壁部の外面側に形成される三角形状と概ね同じ形状且つ同じ大きさの逆三角形状に形成されていることを特徴とする。
【００１２】
請求項２に記載の発明によれば、前記蓋体の前記一対の第３側壁部に設けられた延長部は、前記箱本体の前記一対の第１側壁部の外面側に折り込まれ固定された一対の折込部の対向する側辺によって前記一対の第１側壁部の外面側に形成される三角形状と概ね同じ形状且つ同じ大きさの逆三角形状に形成されているので、前記蓋体を持ち上げたとき、前記折返し片と一対の折込部の対向する側辺は、三角形の２辺で掛止することになり、前記箱本体を安定した状態で持ち上げることができる。
【００１３】
請求項３に記載の発明は、請求項１または２に記載の、前記箱本体の第１側壁部の外面側に設けられる折り込み部の固定は、接着によるものであることを特徴とする。
【００１４】
請求項３に記載の発明によれば、前記箱本体の第１側壁部の外面側に設けられる折り込み部の固定は接着によるものであるので、折り込み部を容易に固定することができ、また前記箱本体の廃棄時に支障になることはない。
【００１５】
請求項４に記載の発明は、請求項１〜３のいずれか１項に記載の、前記シートは、紙製であることを特徴とする。
【００１６】
請求項４に記載の発明によれば、前記シートは紙製であるので、使用後の廃棄が容易で有り、また資源としての再利用が可能となる。
【００１７】
請求項５に記載の発明は、請求項１〜４のいずれか１項に記載の、前記シートは、前記シートは、段ボールシートであることを特徴とする。
【００１８】
請求項５に記載の発明によれば、前記シートは、段ボールシートであるので、軽量で且つ堅牢な梱包箱を得ることができ、また、取扱いや製造が容易である。
【発明の効果】
【００１９】
以上のように、本発明に係る梱包箱によれば、内容物が重くても蓋体で箱本体を閉じた状態で、蓋体を持って容易に搬送でき、さらには組み立てが容易な梱包箱を得ることができる。
【図面の簡単な説明】
【００２０】
【図１】本発明に係る梱包箱の実施の形態の一例を示す斜視図である。
【図２】箱本体の展開図である。
【図３】蓋体の側面図である。
【図４】蓋体の底面側からの斜視図である。
【図５】蓋体の展開図である。
【図６】箱本体を蓋体で閉じる動作を示す説明図である。
【図７】箱本体を蓋体で閉じる動作を示す説明図である。
【図８】箱本体を蓋体で閉じる動作を示す説明図である。
【発明を実施するための形態】
【００２１】
以下、本発明に係る梱包箱の形態の一例を、図面を参照して詳細に説明する。
図１〜図８は本発明に係る梱包箱の実施の形態の一例を示すものであり、図１は本例の梱包箱の斜視図、図２は箱本体の展開図、図３は蓋体の側面図、図４は蓋体の底面側からの斜視図、図５は蓋体の展開図、図６、図７、図８は箱本体を蓋体で閉じる動作を示す説明図である。
【００２２】
本例の梱包箱は、箱本体１と蓋体２はいずれも一枚のシートから組み立てられる。
使用されるシートとしては、シート状の材料であれば特に限定されないが、例えば、紙製シート、プラスチック製シート等が使用される。紙製シートとしては、厚紙、クラフト紙、板紙、紙段ボール等が使用される。また、プラスチック製シートとしては、プラスチック板、プラスチック段ボール等が使用される。また、紙製シートには、少なくとも箱の内面となる一面に耐液体性加工が施されているものを使用することができる。耐液体性加工にあっては、紙製シートに耐液体性のフィルムをラミネートし、或いは耐液体性の塗料をコーティングしてもよく、また、紙層に耐液性剤を含有させてもよい。
本例では、梱包箱を組み立てるシートとして、箱の内面となる一面に耐液体性の塗料がコーティングされた紙製の段ボールシートが使用されている。
【００２３】
本例の梱包箱を構成する箱本体１は、図２の展開図で示すように、矩形状の底部３の相対向する二辺にそれぞれ第１折線４を介して一対の第１側壁部５が設けられ、底部３の他の相対向する二辺にそれぞれ第２折線６を介して一対の第２側壁部７が設けられている。
【００２４】
隣り合う第１側壁部５と第２側壁部７の間には、第１側壁部５と第２側壁部７の両側端縁にそれぞれ第３折線８、第４折線９を介して連接し、外方に二つ折りされ第１側壁部５の外面側に折り込まれ固定される折込部１０が設けられている。
【００２５】
このような展開構造を有する本例の箱本体１は、次のようにして組み立てられる。
底部３の相対向する二辺に設けられている第１側壁部５を第１折線４から折り曲げ立ち上げるとともに、底部３の他の相対向する二辺に設けられている第２側壁部７を第２折線６から折り曲げ立ち上げ、この第１側壁部５と第２側壁部７の立ち上げと同期して、隣り合う第１側壁部５と第２側壁部７の間に設けられている折込部１０を外方に二つ折りして三角形とし、第１側壁部５の外面側に折り込み、第１側壁部５の外面に固定する。折込部１０を第１側壁部５に固定する手段にあっては特に限定されないが、本例では接着により固定している。
【００２６】
このようにして組み立てられた箱本体１の第１側壁部５の外面側には、折り込まれ固定された一対の折込部１０の対向する側辺１０ａによって三角形状の凹部１１が形成される（図１参照。）。
【００２７】
蓋体２は、図５の展開図で示すように、矩形状の天部１２の相対向する二辺にそれぞれ第５折線１３を介して、箱本体１の第１側壁部５の外面に対向する一対の第３側壁部１４が設けられ、天部１２の他の相対向する二辺にそれぞれ第６折線１５を介して他の一対の第４側壁部１６が設けられている。
【００２８】
箱本体１の第１側壁部５の外面に対向する第３側壁部１４には、その下端縁から下方に延長された延長部１４ａが設けられている。
本例では、延長部１４ａは箱本体１の第１側壁部５の外面側に一対の折込部１０の対向する側辺１０ａによって形成された三角形状と概ね同じ形状且つ同じ大きさの逆三角形状に形成されている。
延長部１４ａの先端部は第７折線１７から内側に折り返される折返し片１８となっている。折返し片１８は、後述するように、蓋体２で箱本体１を閉じたときに、箱本体１の第１側壁部５の外面側に折り込まれ固定された一対の折込部１０の対向する側辺１０ａによって形成された三角形状の凹部１１に入り、第１側壁部５の外面に復元力により圧接し、蓋体２を持ち上げたとき一対の折込部１０の対向する側辺１０ａに掛止するものである。
第３側壁部１４の両端縁には第８折線１９を介して第４側壁部１６に固定される固定片２０が設けられている。
【００２９】
このような展開構造を有する本例の蓋体２は、次のようにして組み立てられる。
天部１２の相対向する二辺に設けられている第３側壁部１４を第５折線１３から立ち上げるとともに、他の相対向する二辺に設けられている第４側壁部１６を第６折線１５から立ち上げて、第３側壁部１４の両端縁に設けられている固定片２０を第４側壁部１６に固定する。固定片２０を第４側壁部１６に固定する手段にあっては特に限定されないが、本例では接着により内面に固定している。
【００３０】
このようにして組み立てられた蓋体２は、箱本体１の第１側壁部５の外面に対向する一対の第３側壁部１４の延長部１４ａの先端部が折返し片１８となって内側に折り返されている（図１参照。）。
【００３１】
本例の梱包箱によれば、蓋体２を箱本体１に嵌合したとき、第１側壁部５と第２側壁部７で形成される箱本体１の開口端部２１に蓋体２の第３側壁部１４の延長部１４ａの折返し片１８が当接して、内側へ折り曲げられ（図７参照。）、箱本体１への蓋体２の嵌合を続けることにより、折返し片１８が箱本体１の第１側壁部５の外面側に折り込まれ固定された一対の折込部１０の表面を滑りながら下方へ移動する。
【００３２】
そして、折返し片１８が折込部１０を通過し、一対の折込部１０の対向する側辺１０ａによって形成された三角形状の凹部１１に達すると、折返し片１８は復元力により凹部１１に入り第１側壁部５の外面に圧接し、蓋体２で箱本体１を完全に閉じた状態となる（図８参照。）。
【００３３】
この状態から蓋体２を持ち上げようとしたとき、第１側壁部５の外面に圧接している折返し片１８が一対の折込部１０の対向する側辺１０ａに掛止するので、箱本体１から蓋体２が外れず、蓋体２を持ち上げることにより、箱本体１を一体として持ち上げることができる。
【００３４】
第１側壁部５の外面に圧接している折返し片１８が一対の折込部１０の対向する側辺１０ａに掛止したときの支持力にあっては、折返し片１８が掛止する折込部１０の側辺１０ａは、二つ折りした折り端部なので押圧に対する強度が高く、また、折込部１０の側辺１０ａに掛止する折返し片１８は復元力により第１側壁部５の外面に圧接しているので、蓋体２を持ち上げたとき、折込部１０の側辺１０ａに対し、折返し片１８の端部が折込部１０の側辺１０ａと第１側壁部５の外面との間に向かうよう働くことになり、折込部１０の側辺１０ａから折返し片１８の端部が外れるといったことが効果的に阻止されることになるので、強い支持力が得られる。
【００３５】
また、蓋体２で箱本体１を閉じたときに、折返し片１８が第１側壁部５の外面側に形成される三角形状の凹部１１に入るので、蓋体２を持ち上げたとき、折返し片１８は第１側壁部５の外面側に形成される三角形状の凹部１１により箱本体１の中央位置に誘導されることになり、箱本体を安定した状態で持ち上げることができる。
【００３６】
また、本例では、蓋体２の第３側壁部１４に設けられた延長部１４ａは、箱本体１の第１側壁部５の外面側に固定された折込部１０の側辺１０ａによって第１側壁部５の外面側に形成される三角形状と概ね同じ形状且つ同じ大きさの逆三角形状に形成されているので、蓋体２を持ち上げたとき、折返し片１８と折込部１０の側辺１０ａは、三角形の２辺で掛止することになり、箱本体１を安定した状態で持ち上げることができる。
【００３７】
また、箱本体１から蓋体２を外す場合は、箱本体１の第１側壁部５の外面側に固定された折込部１０の側辺１０ａに掛止している蓋体２の第３側壁部１４の延長部１４ａにおける第７折線１７から内側に折り返されている折返し片１８の折り端部に指を掛け、外側へ引き出すといった簡単な操作により（図８上の矢印方向。）、折込部１０の側辺１０ａから折返し片１８が外れるので、箱本体１から蓋体２を容易に外すことができる。
【符号の説明】
【００３８】
１  箱本体
２  蓋体
３  底部
４  第１折線
５  第１側壁部
６  第２折線
７  第２側壁部
８  第３折線
９  第４折線
１０  折込部
１０ａ  側辺
１１  凹部
１２  天部
１３  第５折線
１４  第３側壁部
１４ａ  延長部
１５  第６折線
１６  第４側壁部
１７  第７折線
１８  折返し片
１９  第８折線
２０  固定片
２１  開口端部
【図１】
2020164187.tif 000003
【図２】
2020164187.tif 000004
【図３】
2020164187.tif 000005
【図４】
2020164187.tif 000006
【図５】
2020164187.tif 000007
【図６】
2020164187.tif 000008
【図７】
2020164187.tif 000009
【図８】
2020164187.tif 000010